(57)【要約】【課題】一部の送信機は、たとえば、受信機が１２００ｄｐｉでのカラー受信機能をサポートしていると６００ｄｐｉでのカラー受信機能もサポートしていると判断するが、この場合、送信機が６００ｄｐｉでのカラー送信を指定し、受信機が６００ｄｐｉでのカラー受信をサポートしていない場合に、確実に、４００ｄｐｉ以下でのカラー通信が可能であるファクシミリ通信装置およびその制御方法を提供することを目的とするものである。【解決手段】カラー情報を通信可能なファクシミリ通信装置において、送信機より、自機がサポートしていないカラーの解像度での送信指定を受けたときに、以後、高解像度のカラー受信機能を具備しないことを示す初期識別信号を再送信する。【選択図】　図１
2004120410.tif 000002
【特許請求の範囲】
【請求項１】
カラー情報を通信可能なファクシミリ通信装置において、
受信機として動作する場合は、
ＪＰＥＧ受信機能の有無を通知する第１の通知手段と；
フルカラー受信機能の有無を通知する第２の通知手段と；
フルカラー受信における必須の解像度以外の複数の解像度での受信機能の有無をそれぞれ通知する第３の通知手段と；
を有し、
送信機として動作する場合は、
ＪＰＥＧ送信を指定する第４の通知手段と；
フルカラー送信を指定する第５の通知手段と；
フルカラー通信における必須の解像度以外の複数の解像度での通信機能の有無をそれぞれ通知する第６の通知手段と；
を有することを特徴とするファクシミリ通信装置。
【請求項２】
請求項１において、
送信機から、自機がサポートしていないカラーの解像度での送信指定を受けたときに、以後、高解像度のカラー受信機能を具備していないことを示す初期識別信号を再送信することを特徴とするファクシミリ通信装置。
【請求項３】
請求項２において、
受信機が、カラーの受信機能として、２００ｄｐｉ、４００ｄｐｉ、１２００ｄｐｉをサポートし、相手送信機から６００ｄｐｉでのカラー送信が指定されると、カラーの受信機能として、２００ｄｐｉ、４００ｄｐｉをサポートしていることを示す初期識別信号を再送信することを特徴とするファクシミリ通信装置。
【請求項４】
請求項１〜請求項３のいずれか１項において、
カラーの受信機能として全て、モノクロと独立して１００ｄｐｉ、２００ｄｐｉ、３００ｄｐｉ、４００ｄｐｉ、６００ｄｐｉ、１２００ｄｐｉと完全独立で受信機から送信機に通知する手段を有し、カラーの送信指定解像度として全て、モノクロと独立して１００ｄｐｉ、２００ｄｐｉ、３００ｄｐｉ、４００ｄｐｉ、６００ｄｐｉ、１２００ｄｐｉと完全独立で送信機から受信機に指定する手段を有することを特徴とするファクシミリ通信装置。
【請求項５】
カラー情報を通信可能なファクシミリ通信装置の制御方法において、
受信機として動作する場合は、
ＪＰＥＧ受信機能の有無を通知する第１の通知段階と；
フルカラー受信機能の有無を通知する第２の通知段階と；
フルカラー受信における必須の解像度以外の複数の解像度での受信機能の有無をそれぞれ通知する第３の通知段階と；
を有し、
送信機として動作する場合は、
ＪＰＥＧ送信を指定する第４の通知段階と；
フルカラー送信を指定する第５の通知段階と；
フルカラー通信における必須の解像度以外の複数の解像度での通信機能の有無をそれぞれ通知する第６の通知段階と；
を有することを特徴とするファクシミリ通信装置の制御方法。
【発明の詳細な説明】
【０００１】
【発明の属する技術分野】
本発明は、ファクシミリ装置、特に、カラーファクシミリ通信可能なファクシミリ通信装置およびその制御方法に関するものである。
【０００２】
【従来の技術】
従来のファクシミリ装置は、ＩＴＵ−Ｔ勧告に基づいて設計されている。この勧告では、受信機から送信機に、ＪＰＥＧ受信機能の有無と、フルカラー受信機能の有無とを通知し、送信機から受信機へは、ＪＰＥＧ送信の指定の有無と、フルカラー送信の指定の有無とを通知する。
【０００３】
ここで、ＪＰＥＧ符号化において、フルカラー送信を指定するときがカラー送信となる。カラー送信のマンダトリーな解像度は、２００ｄｐｉである。
【０００４】
しかし、ここで、受信機から送信機に、３００ｄｐｉでの受信機能の有無を通知する手段、４００ｄｐｉでの受信機能の有無を通知する手段、カラーでの３００ｄｐｉまたは４００ｄｐｉでの受信機能の有無を通知する手段、カラーでの１００ｄｐｉでの受信機能の有無を通知する手段、カラーでの６００ｄｐｉでの受信機能の有無を通知する手段、カラーでの１２００ｄｐｉでの受信機能の有無を通知する手段、２００ｄｐｉでの受信機能の有無を通知する手段、送信機から受信機に、ＪＰＥＧ送信を指定する手段、フルカラー送信を指定する手段、３００ｄｐｉでの送信を指定する手段、４００ｄｐｉでの送信を指定する手段を有し、カラーでの３００ｄｐｉまたは４００ｄｐｉでの送信指定手段、カラーで１００ｄｐｉでの送信指定手段、カラーでの６００ｄｐｉでの送信指定手段、カラーでの１２００ｄｐｉでの送信指定手段、２００ｄｐｉでの送信指定手段がある。
【０００５】
ここで、一部の送信機は、たとえば、受信機が１２００ｄｐｉでのカラー受信機能をサポートしていると、６００ｄｐｉでのカラー受信機能もサポートしていると判断する。
【０００６】
【発明が解決しようとする課題】
しかし、上記従来例において、受信機が６００ｄｐｉでのカラー受信をサポートしていない場合、上記のように、一部の送信機は、たとえば、受信機が１２００ｄｐｉでのカラー受信機能をサポートしていると、６００ｄｐｉでのカラー受信機能もサポートしていると判断し、送信機が６００ｄｐｉでのカラー送信を指定した場合、受信機が６００ｄｐｉでのカラー受信をサポートしていないので、通信エラーになるという問題がある。
【０００７】
本発明は、一部の送信機は、たとえば、受信機が１２００ｄｐｉでのカラー受信機能をサポートしていると６００ｄｐｉでのカラー受信機能もサポートしていると判断するが、この場合、送信機が６００ｄｐｉでのカラー送信を指定し、受信機が６００ｄｐｉでのカラー受信をサポートしていない場合に、確実に、４００ｄｐｉ以下でのカラー通信が可能であるファクシミリ通信装置およびその制御方法を提供することを目的とするものである。
【０００８】
【課題を解決するための手段】
本発明は、カラー情報を通信可能なファクシミリ通信装置において、送信機が、カラーでの３００ｄｐｉまたは４００ｄｐｉでの送信を指定する手段と、カラーで１００ｄｐｉでの送信を指定する手段と、カラーでの６００ｄｐｉでの送信を指定する手段と、カラーでの１２００ｄｐｉでの送信を指定する手段と、２００ｄｐｉでの送信を指定する手段とを有し、これらの受信機能は、全て独立に定義するファクシミリ通信装置である。
【０００９】
【発明の実施の形態および実施例】
［第１の実施例］
図１は、本発明の第１の実施例であるファクシミリ装置ＦＳ１を示すブロック図である。
【００１０】
ファクシミリ装置ＦＳ１において、ＮＣＵ（網制御装置）２は、電話網をデータ通信等に使用するために、その回線の端末に接続し、電話交換網の接続制御を行ったり、データ通信路への切り換えを行い、ループの保持を行うものである。また、ＮＣＵ２は、バス２６からの制御によって、電話回線２ａを電話機側に接続（ＣＭＬオフ）し、また、電話回線２ａをファクシミリ装置側に接続（ＣＭＬオン）するものである。なお、通常状態では、電話回線２ａは、電話機４側に接続されている。
【００１１】
ハイブリッド回路６は、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で変復調器８に送るものである。
【００１２】
変復調器８は、ＩＴＵ−Ｔ勧告Ｖ．８、Ｖ．２１、Ｖ．２７ｔｅｒ、Ｖ．２９、Ｖ．１７、Ｖ．３４に基づいた変調と復調とを行う変復調器であり、バス２６の制御によって、各伝送モードが指定される。変復調器８は、バス２６からの送信信号を入力し、変調データを信号線８ａに出力し、信号線６ａに出力されている受信信号を入力し、復調データをバス２６に出力する。
【００１３】
発呼回路１０は、バス２６からの信号によって、電話番号情報を入力し、信号線１０ａにＤＴＭＦの選択信号を出力する。
【００１４】
加算回路１２は、信号線８ａの情報と信号線１０ａの情報を入力し、加算した結果を信号線１２ａに出力する。
【００１５】
読取回路１４は、カラー情報を読み取り可能な読取回路であり、読み取りデータをバス２６に出力する。
【００１６】
記録回路１６は、カラー情報を記録可能な記録回路であり、バス２６に出力されている情報を順次１ライン毎に記録する。
【００１７】
メモリ回路１８は、ワーク用のメモリ（ＲＡＭ）、さらに、読み取りデータの生情報、または、符号化した情報を格納し、また、受信情報、または、復号化した情報等をバス２６を介して格納するために使用する。
【００１８】
操作部２０は、ワンタッチダイヤル、短縮ダイヤル、テンキー、スタートキー、ストップキー、セットキー、カラー送信選択キー、メモリ回路１８への登録キー、その他のファンクションキーを具備し、押下されたキー情報は、バス２６に出力される。操作部２０には、表示部があり、バス２６に出力されている情報を入力し、表示する。
【００１９】
ＣＰＵ（中央処理装置）２２は、ファクシミリ全体の制御をし、ファクシミリ伝送制御手順を実行するが、その制御プログラムは、ＲＯＭ２４に格納されている。
【００２０】
ＲＯＭ２４は、カラー情報を通信可能なファクシミリ装置において、受信機から送信機に、ＪＰＥＧ受信機能の有無を通知する手段と、フルカラー受信機能の有無を通知する手段と、３００ｄｐｉでの受信機能の有無を通知する手段と、４００ｄｐｉでの受信機能の有無を通知する手段と、カラーでの３００ｄｐｉまたは４００ｄｐｉでの受信機能の有無を通知する手段と、カラーでの１００ｄｐｉでの受信機能の有無を通知する手段と、カラーでの６００ｄｐｉでの受信機能の有無を通知する手段と、カラーでの１２００ｄｐｉでの受信機能の有無を通知する手段と、２００ｄｐｉでの受信機能の有無を通知する手段とを有し、一方、送信機から受信機に、ＪＰＥＧ送信を指定する手段と、フルカラー送信を指定する手段と、３００ｄｐｉでの送信を指定する手段と、４００ｄｐｉでの送信を指定する手段とを有する。
【００２１】
そして、送信機が、カラーでの３００ｄｐｉまたは４００ｄｐｉでの送信指定手段と、カラーで１００ｄｐｉでの送信指定手段と、カラーでの６００ｄｐｉでの送信指定手段と、カラーでの１２００ｄｐｉでの送信指定手段と、２００ｄｐｉでの送信指定手段とを有し、これらの受信機能は、全て独立に定義する。
【００２２】
ここで、送信機から、自機がサポートしていないカラーの解像度での送信指定を受けたときに、以後、高解像度のカラー受信機能を持たないことを示す初期識別信号を再送信する。具体的には、受信機が、カラーの受信機能として、２００ｄｐｉ、４００ｄｐｉ、１２００ｄｐｉをサポートし、相手送信機から６００ｄｐｉでのカラー送信が指定されると、カラーの受信機能として、２００ｄｐｉ、４００ｄｐｉをサポートしたことを示す初期識別信号を再送信する。
【００２３】
以上の制御プログラムが、ＲＯＭ２４に格納されている。
【００２４】
次に、第１の実施例の動作について説明する。
【００２５】
図２は、第１の実施例において、カラー電送時に使用するプロトコル信号の具体例を示す図である。
【００２６】
ここで、ＤＩＳ、ＤＴＣ、ＤＣＳ信号のＦＩＦの１５、４２、４３、６８、６９、９７、９８、１１０、１１１ビットは、現在のＩＴＵ−Ｔ勧告に決められている。
【００２７】
ＤＩＳ、ＤＴＣ信号のＦＩＦの１５ビットは、２００ｄｐｉでの受信機能の有無を表し、ＤＣＳ信号のＦＩＦの１５ビットは、２００ｄｐｉでの送信指定を表す。
【００２８】
ＤＩＳ、ＤＴＣ信号のＦＩＦの４２ビットは、３００ｄｐｉでの受信機能の有無を表し、ＤＣＳ信号のＦＩＦの４２ビットは、３００ｄｐｉでの送信指定を表す。
【００２９】
ＤＩＳ、ＤＴＣ信号のＦＩＦの４３ビットは、４００ｄｐｉでの受信機能の有無を表し、ＤＣＳ信号のＦＩＦの４３ビットは、４００ｄｐｉでの送信指定を表す。
【００３０】
ＤＩＳ、ＤＴＣ信号のＦＩＦの６８ビットは、ＪＰＥＧ符号化の受信機能の有無を表し、ＤＣＳ信号のＦＩＦの６８ビットは、ＪＰＥＧ符号化の送信指定を表す。
【００３１】
ＤＩＳ、ＤＴＣ信号のＦＩＦの６９ビットは、フルカラーモードの受信機能の有無を表し、ＤＣＳ信号のＦＩＦの６９ビットは、フルカラーモードの送信指定を表す。
【００３２】
ＤＩＳ、ＤＴＣ信号のＦＩＦの９７ビットは、カラー受信での３００ｄｐｉまたは４００ｄｐｉでの受信機能の有無を表し、ＤＣＳ信号のＦＩＦの９７ビットは、３００ｄｐｉまたは４００ｄｐｉでカラーでの送信指定を表す。
【００３３】
ＤＩＳ、ＤＴＣ信号のＦＩＦの９８ビットは、カラー受信での１００ｄｐｉでの受信機能の有無を表し、ＤＣＳ信号のＦＩＦの９８ビットは、１００ｄｐｉでカラーでの送信指定を表す。
【００３４】
ＤＩＳ、ＤＴＣ信号のＦＩＦの１１０ビットは、カラー受信での６００ｄｐｉでの受信機能の有無を表し、ＤＣＳ信号のＦＩＦの１１０ビットは、６００ｄｐｉでカラーでの送信指定を表す。
【００３５】
ＤＩＳ、ＤＴＣ信号のＦＩＦの１１１ビットは、カラー受信での１２００ｄｐｉでの受信機能の有無を表し、ＤＣＳ信号のＦＩＦの１１１ビットは、１２００ｄｐｉでカラーでの送信指定を表す。
【００３６】
図３、図４、図５は、第１の実施例の動作を示すフローチャートである。
【００３７】
Ｓ２では、バス２６を介して、メモリ回路１８をイニシャライズし、Ｓ４では、バス２６を介して、操作部の表示部をクリアし、Ｓ６では、バス２６を介して、ＮＣＵ２のＣＭＬをオフする。
【００３８】
Ｓ８では、ファクシミリ受信が選択されたか否かを判断し、ファクシミリ受信が選択されると、ステップＳ１２に進み、ファクシミリ受信が選択されていないと、ステップＳ１０に進み、その他の処理をする。
【００３９】
Ｓ１２では、バス２６を介して、ＮＣＵ２のＣＭＬをオンし、Ｓ１４では、前手順を実行し、ここで、図２に基づいて、ＤＩＳ信号のＦＩＦの１５、４２、４３、６８、６９、９７、９８、１１１ビットを１にし、ＤＩＳ信号のＦＩＦの１１０ビットを０にし、送信する。
【００４０】
Ｓ１６では、ＤＣＳ信号のＦＩＦの６８ビットは１であるか否かを判断する。すなわち、ＪＰＥＧ送信が指定されたか否かを判断し、ＪＰＥＧ送信が指定されていれば、ステップＳ２２に進み、ＪＰＥＧ送信が指定されていなければ、ステップＳ１８に進む。
【００４１】
Ｓ１８では、指定された通信モードでモノクロ画信号を受信し、記録し、Ｓ２０では、後手順を実行する。
【００４２】
Ｓ２２では、ＤＣＳ信号のＦＩＦの６９ビットが１であるか否かを判断する。すなわち、フルカラー送信が指定されたか否かを判断し、フルカラー送信が指定されていれば、ステップＳ２４に進み、フルカラー送信が指定されていなければ、ステップＳ３６に進む。
【００４３】
Ｓ２４では、ＤＣＳ信号のＦＩＦの１１０ビットが１であるか否かを判断する。すなわち、カラー／グレースケール６００ｄｐｉでの送信指定があるか否かを判断し、カラー／グレースケール６００ｄｐｉでの送信指定があれば、ステップＳ３０に進み、カラー／グレースケール６００ｄｐｉでの送信指定がなければ、ステップＳ２６に進む。
【００４４】
Ｓ２６では、指定された通信モード（解像度を含む。）でカラー画信号を受信し、記録し、Ｓ２８では、後手順を実行し、Ｓ３０では、残りの前手順を実行する。ここで、図２に基づいて、ＤＩＳ信号のＦＩＦの１５、４２、４３、６８、６９、９７、９８ビットを１にし、ＤＩＳ信号のＦＩＦの１１０、１１１ビットを０にし、送信する。
【００４５】
Ｓ３２では、ＤＣＳ信号のＦＩＦの１１０ビットが１であるか否かを判断する。すなわち、カラー／グレースケール６００ｄｐｉでの送信指定があるか否かを判断し、カラー／グレースケール６００ｄｐｉでの送信指定があれば、ステップＳ３４に進み、通信エラーとし、カラー／グレースケール６００ｄｐｉでの送信指定が無ければ、ステップＳ２６に進む。
【００４６】
Ｓ３６では、ＤＣＳ信号のＦＩＦの１１０ビットが１であるか否かを判断する。すなわち、カラー／グレースケール６００ｄｐｉでの送信指定があるか否かを判断し、カラー／グレースケール６００ｄｐｉでの送信指定があれば、ステップＳ４２に進み、カラー／グレースケール６００ｄｐｉでの送信指定がなければ、ステップＳ３８に進む。
【００４７】
Ｓ３８では、指定された通信モード（解像度を含む。）でのグレースケール画信号を受信し、記録し、Ｓ４０では、後手順を実行し、Ｓ４２では、残りの前手順を実行する。ここで、図２に基づいて、ＤＩＳ信号のＦＩＦの１５、４２、４３、６８、６９、９７、９８ビットを１にし、ＤＩＳ信号のＦＩＦの１１０、１１１ビットを０にし、送信する。
【００４８】
Ｓ４４では、ＤＣＳ信号のＦＩＦの１１０ビットが１であるか否かを判断する。すなわち、カラー／グレースケール６００ｄｐｉでの送信指定があるか否かを判断し、カラー／グレースケール６００ｄｐｉでの送信指定があれば、ステップＳ４６に進み、通信エラーであるとし、カラー／グレースケール６００ｄｐｉでの送信指定がなければ、ステップＳ３８に進む。
【００４９】
［第２の実施例］
本発明の第２の実施例は、第１の実施例において、カラーの受信機能として全て、モノクロと独立して１００ｄｐｉ、２００ｄｐｉ、３００ｄｐｉ、４００ｄｐｉ、６００ｄｐｉ、１２００ｄｐｉと、完全独立で受信機から送信機に通知する手段を有し、カラーの送信指定解像度として全て、モノクロと独立して１００ｄｐｉ、２００ｄｐｉ、３００ｄｐｉ、４００ｄｐｉ、６００ｄｐｉ、１２００ｄｐｉと、完全独立で送信機から受信機に指定する手段を有する実施例である。
【００５０】
図６は、第２の実施例において、カラー電送時におけるプロトコル信号の具体例を示す図である。
【００５１】
ここで、ＤＩＳ、ＤＴＣ、ＤＣＳ信号のＦＩＦの６８、６９、９８、１１０、１１１ビットは、現在のＩＴＵ−Ｔ勧告に決められており、Ｘ、Ｘ＋１、Ｘ＋２ビットは、新設する。
【００５２】
ＤＩＳ、ＤＴＣ信号のＦＩＦの６８ビットは、ＪＰＥＧ符号化の受信機能の有無を表し、ＤＣＳ信号のＦＩＦの６８ビットは、ＪＰＥＧ符号化の送信指定を表す。
【００５３】
ＤＩＳ、ＤＴＣ信号のＦＩＦの６９ビットは、フルカラーモードの受信機能の有無を表し、ＤＣＳ信号のＦＩＦの６９ビットは、フルカラーモードの送信指定を表す。
【００５４】
ＤＩＳ、ＤＴＣ信号のＦＩＦの９８ビットは、カラー受信での１００ｄｐｉでの受信機能の有無を表し、ＤＣＳ信号のＦＩＦの９８ビットは、１００ｄｐｉでカラーでの送信指定を表す。
【００５５】
ＤＩＳ、ＤＴＣ信号のＦＩＦの１１０ビットは、カラー受信での６００ｄｐｉでの受信機能の有無を表し、ＤＣＳ信号のＦＩＦの１１０ビットは、６００ｄｐｉでカラーでの送信指定を表す。
【００５６】
ＤＩＳ、ＤＴＣ信号のＦＩＦの１１１ビットは、カラー受信での１２００ｄｐｉでの受信機能の有無を表し、ＤＣＳ信号のＦＩＦの１１１ビットは、１２００ｄｐｉでカラーでの送信指定を表す。
【００５７】
ＤＩＳ、ＤＴＣ信号のＦＩＦのＸビットは、カラー受信での２００ｄｐｉでの受信機能の有無を表し、ＤＣＳ信号のＦＩＦのＸビットは、２００ｄｐｉでカラーでの送信指定を表す。
【００５８】
ＤＩＳ、ＤＴＣ信号のＦＩＦのＸ＋１ビットは、カラー受信での３００ｄｐｉでの受信機能の有無を表し、ＤＣＳ信号のＦＩＦのＸ＋１ビットは、３００ｄｐｉでカラーでの送信指定を表す。
【００５９】
ＤＩＳ、ＤＴＣ信号のＦＩＦのＸ＋２ビットは、カラー受信での４００ｄｐｉでの受信機能の有無を表し、ＤＣＳ信号のＦＩＦのＸ＋２ビットは、４００ｄｐｉでカラーでの送信指定を表す。
【００６０】
第２の実施例において、ＦＩＦの６８、６９ビットのうちのどちらか一方を１にした場合、ＤＩＳ／ＤＴＣ信号では、少なくともＦＩＦの９８、１１０、１１１、Ｘ、Ｘ＋１、Ｘ＋２ビットをひとつ１にし、また、ＤＣＳ信号では、ＦＩＦの９８、１１０、１１１、Ｘ、Ｘ＋１、Ｘ＋２ビットのどれかひとつを１にする。
【００６１】
【発明の効果】
本発明によれば、一部の送信機は、たとえば、受信機が１２００ｄｐｉでのカラー受信機能をサポートしていると６００ｄｐｉでのカラー受信機能もサポートしていると判断するので、送信機が６００ｄｐｉでのカラー送信を指定すると、受信機が６００ｄｐｉでのカラー受信をサポートしていない場合に、再度、受信機は、１２００ｄｐｉのカラー受信機能をサポートしていないことを通知でき、確実に、４００ｄｐｉ以下でのカラー通信が可能になり、ユーザーにとって使い易いという効果を奏する。
【００６２】
請求項４記載の発明によれば、カラー通信の解像度の受信機能の通知と、カラー通信の解像度の指定とを、モノクロと完全に独立して確実に行うことが可能になるという効果を奏する。
【図面の簡単な説明】
【図１】本発明の第１の実施例であるファクシミリ装置ＦＳ１を示すブロック図である。
【図２】第１の実施例において、カラー電送時に使用するプロトコル信号の具体例を示す図である。
【図３】第１の実施例の動作を示すフローチャートである。
【図４】第１の実施例の動作を示すフローチャートである。
【図５】第１の実施例の動作を示すフローチャートである。
【図６】第２の実施例において、カラー電送時におけるプロトコル信号の具体例を示す図である。
【符号の説明】
ＦＳ１…ファクシミリ装置、
２…ＮＣＵ、
４…電話機、
６…ハイブリッド回路、
８…変復調器、
１０…発呼回路、
１２…加算回路、
１４…読取回路、
１６…記録回路、
１８…メモリ、
２０…操作部、
２２…ＣＰＵ、
２４…ＲＯＭ、
２６…バス。
【図１】
2004120410.tif 000003
【図２】
2004120410.tif 000004
【図３】
2004120410.tif 000005
【図４】
2004120410.tif 000006
【図５】
2004120410.tif 000007
【図６】
2004120410.tif 000008